(57)【特許請求の範囲】
【請求項１】
画像データの書込みを行う光書込装置であって、前記光書込装置は、
前記画像データに応じて光ビームを出力する複数の発光手段と、
前記光ビームを受光して潜像画像が形成される画像担持体と、
前記発光手段から出力される光ビームを前記画像担持体に対して偏向させる偏向手段と、
前記偏向手段によって周期的に走査される光ビームを検出して検出信号を生成する光ビーム検出手段と、
前記発光手段から出力される光ビームを前記光ビーム検出手段に対して偏向させる１の偏向手段と、
前記画像担持体に前記潜像画像を形成させるべく、前記検出信号に基づいて前記発光手段による画像データの出力タイミングを指示する手段と
を含み、
前記光ビーム検出手段は、前記１の偏向手段によって偏向された１の発光手段からの光ビームを検出して前記検出信号を生成し、
前記出力タイミングを指示する手段は、前記１の発光手段が生成した検出信号に基づいて、前記複数の発光手段による画像データの出力タイミングを指示し、
前記画像担持体は、第１走査側および第２走査側からなる２の画像担持体で構成され、
前記複数の発光手段は、１の画像担持体に光ビームを走査する第１走査側の発光手段と、別の画像担持体に光ビームを走査する第２走査側の発光手段とで構成され、
前記出力タイミングを指示する手段は、前記検出信号を基準として動作するカウンタであり、前記カウンタは、
第１走査側の発光手段および第２走査側の発光手段による画像データの出力タイミングを指示する複数の走査カウンタと、
第１走査側または第２走査側の発光手段による画像データの出力タイミングを指示する走査カウンタを指定する選択カウンタと
を含む、光書込装置。
【請求項２】
前記走査カウンタは、低速クロックで動作するカウンタと、高速クロックで動作するカウンタとで構成される、請求項１に記載の光書込装置。
【請求項３】
前記走査カウンタを動作させる周波数は画素クロック周波数以上である、請求項１または２に記載の光書込装置。
【請求項４】
画像データの書込みを行う光書込装置が実行する光書込方法であって、前記光書込方法は、前記光書込装置が、
複数の発光手段が光ビームを出力するステップと、
１の発光手段が出力した光ビームを検出して検出信号を生成するステップと、
前記検出信号に基づいて前記発光手段による画像データの出力タイミングを指示するステップと、
前記出力タイミングに応じて前記発光手段に画像データを出力させ、前記画像データに応じた光ビームを画像担持体に照射して、前記画像担持体に潜像画像を形成するステップと
を含み、
前記出力タイミングを指示するステップは、前記１の発光手段により生成された検出信号に基づいて、前記複数の発光手段による画像データの出力タイミングを指示するステップを含み、
前記画像担持体は、第１走査側および第２走査側からなる２の画像担持体で構成され、
前記複数の発光手段は、１の画像担持体に光ビームを走査する第１走査側の発光手段と、別の画像担持体に光ビームを走査する第２走査側の発光手段とで構成され、
前記出力タイミングの指示は、前記検出信号を基準として動作するカウンタにより実現され、前記カウンタは、
第１走査側の発光手段および第２走査側の発光手段による画像データの出力タイミングを指示する複数の走査カウンタと、
第１走査側または第２走査側の発光手段による画像データの出力タイミングを指示する走査カウンタを指定する選択カウンタと
を含む、光書込方法。
【請求項５】
前記走査カウンタは、低速クロックで動作するカウンタと、高速クロックで動作するカウンタとで構成される、請求項４に記載の光書込方法。
【請求項６】
請求項４または５に記載の各ステップを光書込装置が実行するためのコンピュータ実行可能なプログラム。
【請求項７】
請求項６に記載されたプログラムを記録したコンピュータ可読な記録媒体。
【発明の詳細な説明】
【技術分野】
【０００１】
本発明は、光書込装置に関し、より詳細には、１の同期検知センサで構成され簡略化された装置構成を有する光書込装置、光書込方法、プログラムおよび記録媒体に関する。
【背景技術】
【０００２】
従来、レーザプリンタやデジタル複写機等の画像形成装置では、画像データの書込みを光ビームの走査によって行っている。この方式では、書込むべき画像データによって発光源の点灯を制御し、その光ビームをポリゴンミラー等によって反射させ、副走査方向に回転移動する感光体に走査して、画像データの書込みを行う。
【０００３】
このとき、感光体上に画像データの書込み位置は、各走査ラインで一定にする必要がある。このため、感光体を照射する直前の光ビームを検出する同期検知センサを使用して、ポリゴンミラーによって走査される光ビームを検知し、同期検知センサが発生させる同期検知信号を基準として発光源の点灯タイミングを指示し、画像データの書込みが一定位置で開始するよう制御する。
【０００４】
このような光書込技術として、特許文献１は、１の同期検知センサと、当該同期検知センサに光ビームを集光させる複数のミラーとを備え、発光源からの各光ビームが互いに回転ポリゴンミラーの異なる位置で反射した後、同期検知センサに達するように各光ビームを伝達させる光書込装置を開示する。
【発明の概要】
【発明が解決しようとする課題】
【０００５】
しかしながら、特許文献１が開示する装置は、複数の発光源からの光ビームを１の同期検知センサに集光させるため、発光源と同数の反射ミラーを備える必要があり、部品数が多く装置構成が複雑となり、部品組み立ての簡素化や低コスト化が充分に為し得ないという問題があった。
【０００６】
本発明は、上記従来技術の問題に鑑みてなされたものであり、簡略化された装置構成を有する光書込装置、当該光書込装置が実行する光書込方法、プログラムおよび記録媒体を提供することを目的とするものである。
【課題を解決するための手段】
【０００７】
上記課題を解決するために、本発明の光書込装置は、画像データに応じて光ビームを出力する複数の発光手段と、光ビームを受光して潜像画像が形成される画像担持体と、偏向手段によって周期的に走査される光ビームを検出して検出信号を生成する光ビーム検出手段と、画像担持体に潜像画像を形成させるべく、検出信号に基づいて発光手段による画像データの出力タイミングを指示する手段とを含み、光ビーム検出手段は、１の偏向手段によって偏向された１の発光手段からの光ビームを検出して検出信号を生成し、出力タイミングを指示する手段は、他の発光手段による画像データの出力タイミングを指示する。これにより、本発明の光書込装置は、１の同期検知センサで構成され、簡略化された装置構成を提供することができる。
【０００８】
さらに、本発明は、簡略化された装置構成を有する光書込装置が実行する光書込方法、プログラムおよび記録媒体を提供する。
【図面の簡単な説明】
【０００９】
【図１】本実施形態の画像形成装置の構成を示す図。
【図２】本実施形態の光書込装置１１０ａの構成を示す図。
【図３】本実施形態の光書込装置の発光源から画像データを出力するタイミングを示す図。
【図４】他の実施形態の光書込装置の発光源から画像データを出力するタイミングを示す図。
【発明を実施するための形態】
【００１０】
以下、本発明について実施形態をもって説明するが、本発明は、後述する実施形態に限定されるものではない。図１は、本実施形態の画像形成装置１００を示す図である。図１に示す画像形成装置１００は、２つの光書込装置１１０ａ、１１０ｂを備えており、発光源（図示せず）が照射する４色成分（イエロー（Ｙ）、マゼンダ（Ｍ）、シアン（Ｃ）、ブラック（Ｂｋ））の光ビームをポリゴンミラー１１２ａ、１１２ｂおよびミラー１１４ａ、１１４ｂで偏向して、それぞれ画像担持体１２０Ｙ、１２０Ｍ、１２０Ｃ、１２０Ｂｋに走査し、画像の書込みを行う。
【００１１】
画像担持体１２０Ｙ、１２０Ｍ、１２０Ｃ、１２０Ｂｋは、発光源の光ビームによって画像が書き込まれる記録媒体である感光体である。画像担持体１２０Ｙ、１２０Ｍ、１２０Ｃ、１２０Ｂｋは、コロナ帯電器等の帯電デバイス１２２Ｙ、１２２Ｍ、１２２Ｃ、１２２Ｂｋによって電荷が付与され、発光源の光ビームにより露光されて画像部に電荷を残した静電潜像が形成される。そして、画像担持体１２０Ｙ、１２０Ｍ、１２０Ｃ、１２０Ｂｋは、現像器１２４Ｙ、１２４Ｍ、１２４Ｃ、１２４Ｂｋによって静電潜像にトナーが付着させて可視像が生成され、転写器１２６Ｙ、１２６Ｍ、１２６Ｃ、１２６Ｂｋによりそのトナー像を記録紙１３２に転写する。さらに、画像担持体１２０Ｙ、１２０Ｍ、１２０Ｃ、１２０Ｂｋは、除電器１２８Ｙ、１２８Ｍ、１２８Ｃ、１２８Ｂｋにより潜像電荷が除電され、クリーナ１３０Ｙ、１３０Ｍ、１３０Ｃ、１３０Ｂｋによって残留トナーが除去される。本実施形態では、ドラム式の感光体が使用され、感光体ドラムが回転することにより、上述した一連のプロセスが繰り返し行われ、連続的な印字を可能としている。
【００１２】
図２は、本実施形態の光書込装置１１０ａの機能構成２００を示す図である。なお、光書込装置１１０ｂは、光書込装置１１０ａと同様の構成を有するため、以下、説明を省略する。
【００１３】
光書込装置１１０ａは、発光源２１０ａ、２１０ｂと、ポリゴンミラー２１２と、同期検知センサ２１４と、同期検知センサ用反射ミラー２１６と、画像担持体用反射ミラー２１８ａ、２１８ｂとを含んで構成されている。
【００１４】
発光源２１０ａは、レーザダイオード（以下、単にＬＤとして参照する。）等の発光手段であり、ポリゴンミラー２１２により光ビームを第１走査側（Ｌ側）の反射ミラー２１８ａに反射させ、第1走査側の帯電した画像担持体を露光して潜像を形成する。発光源２１０ｂは、ＬＤ等の発光源であり、ポリゴンミラー２１２により光ビームを第２走査側（Ｒ側）の反射ミラー２１８ｂに反射させ、第２走査側の帯電した画像担持体を露光して潜像を形成する。
【００１５】
ポリゴンミラー２１２は、発光源２１０ａ、２１０ｂが照射する光ビームを反射する偏向手段である。本実施形態では、偏向手段として多角形の回転式ミラーを採用しており、ポリゴンミラー２１２が一定速度で回転することにより、ポリゴンミラーの各面に照射された光ビームを偏向させて、同期検知センサ２１４および画像担持体に照射する。なお、本実施形態では六角形の回転式ミラーを使用するが、他の実施形態では、任意の多角形状の回転ミラーを採用することができる。
【００１６】
同期検知センサ２１４は、ポリゴンミラー２１２によって周期的に走査される光ビームを検出する光ビーム検出手段であり、画像担持体に対する画像データの書込みタイミングを制御する検出信号（以下、同期検知信号として参照する。）を生成するセンサである。同期検知センサ２１４は、ポリゴンミラー２１２が回転することによって主走査方向に走査される発光源２１０ａの光ビームを検出して同期検知信号を生成し、この同期検知信号により、発光源２１０ａ、２１０ｂによる画像データの出力タイミングが指示され、画像担持体の一定のタイミングで画像が書き込まれる。本実施形態では、１の同期検知センサにより、２の発光源による画像データの出力タイミングを制御することができる。
【００１７】
同期検知センサ用反射ミラー２１６は、ポリゴンミラー２１２によって反射された発光源２１０ａの光ビームを反射して、同期検知センサ２１４に照射する偏向手段である。本実施形態の光書込装置は、１の同期検知センサ用反射ミラーで構成されており、反射ミラー数を低減することにより、光書込装置装置の簡略化および縮小化が図られている。
【００１８】
画像担持体用反射ミラー２１８ａ、２１８ｂは、ポリゴンミラー２１２によって反射された発光源２１０ａ、２１０ｂの光ビームを反射して、画像担持体に照射する偏向手段である。本実施形態の光書込装置は、１の画像担持体に対応する１の反射ミラーで構成されており、反射ミラー数を低減することにより、光書込装置装置の簡略化および縮小化が図られている。
【００１９】
図３は、本実施形態の光書込装置１１０ａの発光源２１０ａおよび２１０ｂから画像データを出力するタイミングを示す図である。以下、図３を参照して、本実施形態の主走査カウンタ３２０、３３０、３４０および選択カウンタ３５０を用いた発光源による画像データの出力タイミングついて説明する。
【００２０】
主走査カウンタ３２０、３３０、３４０および選択カウンタ３５０は、同期検知信号に基づいて発光源による画像データの出力タイミングを指示し、潜像画像を画像担持体に形成させる手段であり、同期検知信号を基準に動作するカウンタとして構成される。主走査カウンタ３２０、３３０、３４０は、それぞれ第１走査側の発光手段および第２走査側の発光手段による画像データの出力タイミングを指示するカウンタである。選択カウンタ３５０は、第１走査側または第２走査側の発光手段による画像データの出力タイミングを指示する走査カウンタを指定するカウンタである。本実施形態の主走査カウンタ３２０、３３０、３４０は、画素クロック周波数またはそれ以上の周波数クロックによってカウントアップされる。なお、本実施形態では、主走査カウンタ３２０、３３０、３４０は、それぞれ同じクロック周波数でカウントアップする。
【００２１】
本実施形態では、選択カウンタ３５０は、同期検知センサ２１４が発生する同期検知信号によってカウントアップする。本実施形態では、選択カウンタ３５０の初期値は「０」であり、その最大値は「２」である。選択カウンタ３５０は、同期検知信号によってカウンタ値を「０」から順次増加させ、カウンタ値が最大値である「２」に達すると、再びカウンタ値を「０」にする。
【００２２】
主走査カウンタ３２０は、選択カウンタ３５０の値が「０」となるときに、同期検知信号によってカウンタクリアにされる。主走査カウンタ３３０は、選択カウンタ３５０の値が「１」となるときに、同期検知信号によってカウンタクリアにされる。主走査カウンタ３４０は、選択カウンタ３５０の値が「２」となるときに、同期検知信号によってカウンタクリアにされる。
【００２３】
図３の実施形態では、第１走査側の発光源による画像データの出力タイミングは、選択カウンタ３５０の値が「０」のときは、主走査カウンタ３２０によって制御され、選択カウンタ３５０の値が「１」のときは、主走査カウンタ３３０によって制御され、選択カウンタ３５０の値が「２」のときは、主走査カウンタ３４０によって制御される。一方、第２走査側の発光源による画像データの出力タイミングは、選択カウンタ３５０の値が「０」のときは、主走査カウンタ３３０によって制御され、選択カウンタ３５０の値が「１」のときは、主走査カウンタ３４０によって制御され、選択カウンタ３５０の値が「２」のときは、主走査カウンタ３２０によって制御される。
【００２４】
本実施形態の光書込装置は、六角形状のポリゴンミラーを使用しているため、第１走査側の画像担持体に対する走査に使用されたポリゴンミラー２１２の特定の面によって、第２走査側の画像担持体に対する走査が終了するまでの間に、同期検知センサ２１４は、２つの同期検知信号を発生させる。このため、本実施形態の選択カウンタは、ポリゴンミラーの反射面（図２の１〜６が示す面）の数の半数に相当する３つのカウンタ値（「０」〜「２」）を取るように構成されているが、他の実施形態では、選択カウンタのカウンタ値としてポリゴンミラーの形状に適したカウンタ数を採用するのが好適である。
【００２５】
印刷処理時には、ポリゴンミラー２１２が回転するととともに発光源２１０ａが点灯し、ポリゴンミラー２１２によって反射した発光源２１０ａの光ビームが同期検知センサ２１４に入射して、同期検知信号３１１を発生させる。選択カウンタ３５０は、同期検知信号３１１の発生タイミングよりも充分に長い一定の期間が経過後に、同期検知信号３１１を検知するとカウンタ値を初期化し、主走査カウンタ３２０がクリアされる。
【００２６】
次いで、同期検知センサ２１４によって次の同期検知信号３１２が発生すると、選択カウンタ３５０のカウンタ値は「１」となり、主走査カウンタ３３０がクリアされる。次いで、同期検知センサ２１４によって次の同期検知信号３１３が発生すると、選択カウンタ３５０のカウンタ値は「２」となり、主走査カウンタ３４０がクリアされる。次いで、同期検知センサ２１４によって次の同期検知信号３１４が発生すると、選択カウンタ３５０のカウンタ値は「０」となり、主走査カウンタ３２０がクリアされる。主走査カウンタ３２０、３３０、３４０および選択カウンタ３５０は、同期検知信号３１０を検出すると、これらの動作を反復する。
【００２７】
本実施形態の光書込装置は、画像担持体に画像を形成する場合、選択カウンタ３５０の値は初期化されて「０」となり、第１走査側では、主走査カウンタ３２０のカウンタ値が所定値になったときに、発光源２１０ａが画像出力データに応じた光ビームを放射する。一方、第２走査側では、主走査カウンタ３３０のカウンタ値が所定値になったときに、発光源２１０ｂが画像出力データに応じた光ビームを放射する。
【００２８】
選択カウンタ３５０の値が「１」の場合には、第１走査側では、主走査カウンタ３３０のカウンタ値が所定値になったときに、発光源２１０ａが画像出力データに応じた光ビームを放射する。一方、第２走査側では、主走査カウンタ３４０のカウンタ値が所定値になったときに、発光源２１０ｂが画像出力データに応じた光ビームを放射する。
【００２９】
選択カウンタ３５０の値が「２」の場合には、第１走査側では、主走査カウンタ３４０のカウンタ値が所定値になったときに、発光源２１０ａが画像出力データに応じた光ビームを放射する。一方、第２走査側では、主走査カウンタ３２０のカウンタ値が所定値になったときに、発光源２１０ｂが画像出力データに応じた光ビームを放射する。
【００３０】
本実施形態では、第１走査側において発光源２１０ａから画像データが出力されるタイミングを既定する第１走査側の主走査カウンタ３２０の所定値として、発光源２１０ａの光ビームが同期検知センサ２１４に入射して同期検知信号が生成され、主走査カウンタ３２０が初期化された時点から、発光源２１０ａの光ビームが、第１走査側の画像担持体上の画像データを書き込むべき位置に到達するまでの間に、主走査カウンタ３２０がカウントアップするカウンタ値とすることができる。また、発光源２１０ａから画像データが出力されるタイミングを既定する第１走査側の主走査カウンタ３３０、３４０の所定値も、主走査カウンタ３２０と同様に設定することができる。
【００３１】
一方、第２走査側において発光源２１０ｂから画像データが出力されるタイミングを既定する第２走査側の主走査カウンタ３２０の所定値として、発光源２１０ａの光ビームが同期検知センサ２１４に入射して同期検知信号が生成され、主走査カウンタ３２０が初期化された時点から、発光源２１０ｂの光ビームが、第２走査側の画像担持体上の画像データを書き込むべき位置に到達するまでの間に、主走査カウンタ３２０がカウントアップするカウンタ値とすることができる。また、発光源２１０ｂから画像データが出力されるタイミングを既定する第２走査側の主走査カウンタ３３０、３４０の所定値も、主走査カウンタ３２０と同様に設定することができる。
【００３２】
この第２走査側の主走査カウンタの所定値は、第１走査側の走査カウンタの所定値と、ポリゴンミラーの回転速度と、主走査カウンタを動作させる周波数と、１のポリゴンミラー面が第１走査側に光ビームを反射させる角度位置から第２走査側に光ビームを反射させる角度位置までの回転角とを使用して算出してもよい。例えば、ポリゴンミラーの回転速度が９、０００ｒｐｍ、主走査カウンタを動作する周波数が１５ＭＨｚ、ポリゴンミラーが六角形状の場合、第１走査側の主走査カウンタの所定値に３３，３３３（＝１５，０００，０００（Ｈｚ）×（１／（９，０００（ｒｐｍ）／６０））／３（＝１２０度（上記回転角）／３６０度））を加算した値が、第２走査側の主走査カウンタの所定値となる。
【００３３】
本実施形態では、１の同期検知センサによって発生する同期検知信号に連動して選択カウンタがカウントアップされ、当該選択カウンタおよび走査カウンタの値によって、第１走査側および第２走査側双方における発光源による画像データの出力タイミングが制御される。これにより、１の同期検知センサにより、第１走査側および第２走査側双方における画像担持体の走査の同期を図ることができる。
【００３４】
本実施形態では、主走査カウンタ３２０、３３０、３４０および選択カウンタ３５０の初期値が「０」とされている場合、第２走査側の発光源２１０ｂの１回目および２回目の走査については、上記所定値とは異なる値で画像データを出力するように構成される。すなわち、第１走査側の発光源２１０ａは、最初の走査を実行する場合、主走査カウンタ３２０が上記所定値となったときに、第１走査側に最初の画像データを出力する。一方、第２走査側の発光源２１０ｂは、選択カウンタが「０」であり、主走査カウンタ３３０のカウンタ値が初期値からカウントアップして別の所定値に達したときに、第２走査側に最初の画像データを出力する。当該別の所定値とは、最初の走査により第２走査側の画像担持体に照射される発光源２１０ｂの光ビームが第２走査側の画像担持体上の画像データを書き込むべき位置に到達するまでの間に、主走査カウンタ３２０が、初期値からカウントアップするカウンタ値とすることができる。
【００３５】
また、第２走査側の発光源２１０ｂは、選択カウンタが「１」であり、主走査カウンタ３４０のカウンタ値が初期値からカウントアップして、さらに別の所定値に達したときに、第２走査側に２回目の画像データを出力する。当該さらに別の所定値とは、２回目の走査により第２走査側の画像担持体に照射される発光源２１０ｂの光ビームが当該画像担持体上の画像データを書き込むべき位置に到達するまでの間に、主走査カウンタ３３０が、初期値からカウントアップするカウンタ値とすることができる。
【００３６】
図４は、異なる動作クロック周波数によって動作する主走査カウンタを含む光書込装置の同期検知信号、選択カウンタおよび主走査カウンタと、画像データの出力タイミングとの関係を示す図である。以下、図４を参照して、選択カウンタ４６０および異なる動作クロック周波数によって動作する主走査カウンタ４４０、４５０と、画像データの出力タイミングとの関係について説明する。
【００３７】
本実施形態の光書込装置は、２つの主走査カウンタ４４０、４５０を使用する四角形状のポリゴンミラーを採用する。同期検知信号４１０は、選択カウンタ４６０をカウントアップさせる信号である。クロック４２０およびクロック４３０は、それぞれ主走査カウンタ４４０および主走査カウンタ４５０を動作信号のクロックであり、クロック４３０は、クロック４２０の８分の１の周期で動作する。
【００３８】
主走査カウンタ４４０、４５０は、光書込装置の発光源が画像データを出力するタイミングを制御するカウンタである。本実施形態では、主走査カウンタ４４０は、主走査カウンタ４５０の動作クロックよりも低速のクロックで動作する。また、主走査カウンタ４４０は「０」〜「４」の値を取り、主走査カウンタ４５０は「０」〜「７」の値を取り、主走査カウンタ４４０、４５０の初期値は「０」である。なお、他の実施形態では、上記のカウンタ値以外のカウンタ値を取ることができる。
【００３９】
選択カウンタ４６０は、光書込装置の第１および第２の発光源が、画像データを出力する際に参照すべき走査カウンタを判断する値を提供するとともに、主走査カウンタ４４０、４５０の初期化タイミングを提供するカウンタである。本実施形態の選択カウンタ４６０は、四角形状のポリゴンミラーの反射面の数の半数に相当する２つ（「０」および「１」）の値を取る。主走査カウンタ４４０は、同期検知信号４１０により選択カウンタ４６０のカウンタ値が「０」になったときに初期化され、また、主走査カウンタ４５０は、選択カウンタ４６０のカウンタ値が「１」になったときに初期化される。
【００４０】
本実施形態の光書込装置の第１走査側の発光源は、選択カウンタ４６０のカウンタ値が「０」のときには、主走査カウンタ４４０のカウンタ値を参照して、画像データの出力タイミングを判断し、選択カウンタ４６０のカウンタ値が「１」のときには、主走査カウンタ４５０のカウンタ値を参照して、画像データの出力タイミングを判断する。一方、光書込装置の第２走査側の発光源は、選択カウンタ４６０のカウンタ値が「０」のときには、主走査カウンタ４５０のカウンタ値を参照して、画像データの出力タイミングを判断し、選択カウンタ４６０のカウンタ値が「１」のときには、主走査カウンタ４４０のカウンタ値を参照して、画像データの出力タイミングを判断する。本実施形態の発光源は、上述した実施形態と同様に、主走査カウンタが所定値になった時点を画像データの出力タイミングと判断し、該当する画像データを放射する。
【００４１】
本実施形態では、一方の主走査カウンタは、他方の主走査カウンタよりも多くのカウンタ値を取り得るため、主走査カウンタのカウンタ値の桁値を抑えつつ、発光源による画像データの出力タイミングの精度を向上させることができる。
【００４２】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００４３】
１００…画像形成装置、１１０ａ，１１０ｂ…光書込装置、１１２ａ，１１２ｂ…ポリゴンミラー、１１４ａ，１１４ｂ…反射ミラー、１２０Ｙ，１２０Ｍ，１２０Ｃ，１２０Ｂｋ…画像担持体、１２２Ｙ，１２２Ｍ，１２２Ｃ，１２２Ｂｋ…帯電デバイス、１２４Ｙ，１２４Ｍ，１２４Ｃ，１２４Ｂｋ…現像器、１２６Ｙ，１２６Ｍ，１２６Ｃ，１２６Ｂｋ…転写器、１２８Ｙ，１２８Ｍ，１２８Ｃ，１２８Ｂｋ…除電器、１３０Ｙ，１３０Ｍ，１３０Ｃ，１３０Ｂｋ…クリーナ、１３２…記録紙、２００…機能構成、２１０ａ，２１０ｂ…発光源、２１２…ポリゴンミラー、２１４…同期検知センサ、２１６…同期検知センサ用反射ミラー、２１８ａ，２１８ｂ…画像担持体用反射ミラー
【先行技術文献】
【特許文献】
【００４４】
【特許文献１】特開２００７−１４７８２６号公報
【図１】
0005521672.tif 000002
【図２】
0005521672.tif 000003
【図３】
0005521672.tif 000004
【図４】
0005521672.tif 000005